(57)【要約】【課題】入力された入力映像信号による映像のアスペクト比と液晶ライトバルブのアスペクト比との不一致により黒帯映像を表示する場合において、液晶ライトバルブの焼き付きを低減することができるプロジェクタを得る。【解決手段】入力映像信号による映像のアスペクト比に基づいて、スクリーンに投写される入力映像信号による映像（Ｇ２）と、黒帯映像（Ｇ１）の相対位置を特定するための表示位置情報を求め、所定の条件で表示位置情報を変更して出力する制御部２０と、表示位置情報に基づいて、入力映像信号と、黒帯映像に対応する映像信号とを合成した合成映像信号を生成し、投写表示用の映像信号として液晶ライトバルブ１２に出力する映像信号処理部３２とを備えた。【選択図】図１
2008098693.tif 000002
【特許請求の範囲】
【請求項１】
投写表示用の映像信号を入力し、当該映像信号に基づいて光源からの光を変調して映像光を射出する液晶ライトバルブと、
該液晶ライトバルブにより射出された映像光をスクリーンに拡大投写する投写光学系と
を備えたプロジェクタであって、
入力映像信号による映像のアスペクト比に基づいて、前記スクリーンに投写される入力映像信号による映像と、黒帯映像の相対位置を特定するための表示位置情報を求め、所定の条件で前記表示位置情報を変更して出力する制御部と、
前記表示位置情報に基づいて、前記入力映像信号と、前記黒帯映像に対応する映像信号とを合成した合成映像信号を生成し、前記投写表示用の映像信号として前記液晶ライトバルブに出力する映像信号処理部と
を備えたことを特徴とするプロジェクタ。
【請求項２】
前記制御部が出力した前記表示位置情報を記憶する記憶部を備え、
前記制御部は、前記記憶部に記憶された前記表示位置情報とは異なった表示位置情報を出力することを特徴とする請求項１記載のプロジェクタ。
【請求項３】
前記制御部は、
前記入力映像信号による映像のアスペクト比が、前記液晶ライトバルブのアスペクト比より横長のとき、
前記表示位置情報を、前記入力映像信号による映像の表示位置が、中央、上端、下端の何れかの順でサイクリックに出力することを特徴とする請求項１又は２記載のプロジェクタ。
【請求項４】
前記制御部は、
前記入力映像信号による映像のアスペクト比が、前記液晶ライトバルブのアスペクト比より縦長のとき、
前記表示位置情報を、前記入力映像信号による映像の表示位置が、中央、右端、左端の何れかの順でサイクリックに出力することを特徴とする請求項１〜３の何れかに記載のプロジェクタ。
【請求項５】
前記投写光学系は、前記スクリーンに拡大投写する映像の投写位置を調整するレンズシフト部を有し、
前記制御部は、前記表示位置情報に応じて、前記入力映像信号による映像の投写位置を一定にさせるレンズシフト制御信号を出力し、
前記レンズシフト部は、前記レンズシフト制御信号に基づき、前記映像の投写位置を調整することを特徴とする請求項１〜４の何れかに記載のプロジェクタ。
【請求項６】
請求項１〜５の何れかに記載のプロジェクタの制御部及び映像信号処理部をそれぞれコンピュータにより実現させることを特徴とするプログラム。
【請求項７】
請求項６記載のプログラムを記録したコンピュータ読み取り可能な記録媒体。
【発明の詳細な説明】
【技術分野】
【０００１】
本発明は、プロジェクタ、そのプログラム及び記録媒体に関し、特に、液晶ライトバルブの焼き付き低減に関する。
【背景技術】
【０００２】
従来のプロジェクタとしては、例えば、「画像信号を発生する画像信号発生部と、該画像信号発生部から画像信号が入力されることに基づき画面に画像表示を行う画像表示素子と、を備えた画像表示装置において、前記画面が、画像表示がされる部分と画像表示がされない暗表示部分とに分かれる場合、該画像表示がされない暗表示部分において、表示制御を開始した時から表示制御を終了するプロセスを開始する時までの間に非暗表示を微小時間行う」ものが提案されている（例えば、特許文献１参照）。
【０００３】
【特許文献１】特開２００２−２５１１６３号公報（請求項１）
【発明の開示】
【発明が解決しようとする課題】
【０００４】
一般に、映像のアスペクト比（横寸法と縦寸法との比）は映像ソースによって異なる。このため、入力された入力映像信号による映像のアスペクト比と液晶ライトバルブのアスペクト比とが一致しない場合、入力映像信号による映像と、この映像が表示されない部分に相当する映像（以下、黒帯映像と称する）とを合成した映像の信号が液晶ライトバルブに入力され、液晶ライトバルブにマトリクス状に形成された複数の画素の透過率を調整することにより光源からの光を変調して、投写光学系を介してスクリーンに投写される。
【０００５】
しかしながら従来のプロジェクタは、上述した黒帯映像が、常に同じ位置に表示されるため、液晶ライトバルブに黒帯映像が表示されると、その画素の透過率は常に一定の状態になったままのため、液晶ライトバルブの画素が劣化する現象（以下、焼き付きという）が生じる、という問題点があった。
【０００６】
また、この焼き付きを防止するものとして、微小時間定期的に映像を反転させる方法（特許文献１）が提案されているが、微小時間では焼き付き防止にあまり効果を期待できず、また、反転部分のちらつきが気になる、という問題点があった。
【０００７】
本発明は、このような問題点を解決するためになされたものであり、入力映像信号による映像のアスペクト比と液晶ライトバルブのアスペクト比との不一致により黒帯映像を表示する場合において、液晶ライトバルブの焼き付きを低減することができるプロジェクタを得ることを目的とする。
【課題を解決するための手段】
【０００８】
本発明に係るプロジェクタは、投写表示用の映像信号を入力し、当該映像信号に基づいて光源からの光を変調して映像光を射出する液晶ライトバルブと、該液晶ライトバルブにより射出された映像光をスクリーンに拡大投写する投写光学系とを備えたプロジェクタであって、入力映像信号による映像のアスペクト比に基づいて、前記スクリーンに投写される入力映像信号による映像と、黒帯映像の相対位置を特定するための表示位置情報を求め、所定の条件で前記表示位置情報を変更して出力する制御部と、前記表示位置情報に基づいて、前記入力映像信号と、前記黒帯映像に対応する映像信号とを合成した合成映像信号を生成し、前記投写表示用の映像信号として前記液晶ライトバルブに出力する映像信号処理部とを備えたものである。
本発明においては、所定の条件で表示位置情報を変更して出力し、この表示位置情報に基づいて、黒帯映像の相対位置を変更して、入力映像信号と黒帯映像に対応する映像信号とを合成した合成映像信号を生成し、投写表示用の映像信号として液晶ライトバルブに出力しており、このため、入力映像信号による映像のアスペクト比と液晶ライトバルブのアスペクト比との不一致により黒帯映像を表示する場合であっても、黒帯映像の相対位置が変更され、液晶ライトバルブの焼き付きを低減させることができる。
【０００９】
本発明に係るプロジェクタは、前記制御部が出力した前記表示位置情報を記憶する記憶部を備え、前記制御部は、前記記憶部に記憶された前記表示位置情報とは異なった表示位置情報を出力する。
本発明においては、記憶部に記憶された表示位置情報とは異なった表示位置情報を出力し、この表示位置情報に基づいて、黒帯映像の相対位置を移動させており、このため、入力映像信号による映像のアスペクト比と液晶ライトバルブのアスペクト比との不一致により黒帯映像を表示する場合であっても、黒帯映像の相対位置が固定されず、表示位置情報が出力される度に移動して、液晶ライトバルブの焼き付きを低減させることができる。
【００１０】
本発明に係るプロジェクタにおいては、前記制御部は、前記入力映像信号による映像のアスペクト比が、前記液晶ライトバルブのアスペクト比より横長のとき、前記表示位置情報を、前記入力映像信号による映像の表示位置が、中央、上端、下端の何れかの順でサイクリックに出力する。
本発明においては、表示位置情報を、入力映像信号による映像の表示位置が、中央、上端、下端の何れかの順でサイクリックに出力しており、このため、入力映像信号による映像のアスペクト比が液晶ライトバルブのアスペクト比より横長のときに黒帯映像を表示する場合であっても、黒帯映像の相対位置がサイクリックに変更され、液晶ライトバルブの焼き付きを低減させることができる。
【００１１】
本発明に係るプロジェクタにおいては、前記制御部は、前記入力映像信号による映像のアスペクト比が、前記液晶ライトバルブのアスペクト比より縦長のとき、前記表示位置情報を、前記入力映像信号による映像の表示位置が、中央、右端、左端の何れかの順でサイクリックに出力する。
本発明においては、表示位置情報を、入力映像信号による映像の表示位置が、中央、右端、左端の何れかの順でサイクリックに出力しており、このため、入力映像信号による映像のアスペクト比が液晶ライトバルブのアスペクト比より縦長のときに黒帯映像を表示する場合であっても、黒帯映像の相対位置がサイクリックに変更され、液晶ライトバルブの焼き付きを低減させることができる。
【００１２】
本発明に係るプロジェクタにおいては、前記投写光学系は、前記スクリーンに拡大投写する映像の投写位置を調整するレンズシフト部を有し、前記制御部は、前記表示位置情報に応じて、前記入力映像信号による映像の投写位置を一定にさせるレンズシフト制御信号を出力し、前記レンズシフト部は、前記レンズシフト制御信号に基づき、前記映像の投写位置を調整する。
本発明においては、表示位置情報に応じて、入力映像信号による映像の投写位置を一定にさせるレンズシフト制御信号を出力し、このレンズシフト制御信号に基づいて、映像の投写位置を調整しており、このため、黒帯映像の相対位置が所定の条件で変更された場合であっても、スクリーンに拡大投写された入力映像信号による映像の投写位置を一定にすることができる。
【００１３】
本発明に係るプログラムは、上記の制御部及び映像信号処理部をそれぞれコンピュータにより実現するものである。
また、本発明に係る記録媒体は、上記のプログラムを記録したコンピュータ読み取り可能なものである。
【発明を実施するための最良の形態】
【００１４】
実施の形態１．
図１は実施の形態１に係るプロジェクタの構成を示すブロック図である。図に示すように、プロジェクタ１は、光源１１と、液晶ライトバルブ１２Ｒ，１２Ｇ，１２Ｂ（以下、区別しない場合は単に「液晶ライトバルブ１２」という）と、投写光学系１３と、液晶ライトバルブ駆動部１４と、制御部２０と、映像入力部３１と、映像信号処理部３２と、フレームメモリ３３と、台形歪補正部３４と、レンズシフト制御部４０と、フォーカス制御部４１と、ズーム制御部４２と、操作信号処理部４３と、操作パネル４４と、記憶部４５とを備えている。また、映像信号処理部３２には、ＯＳＤ（オンスクリーンディスプレイ）処理部３２０を有し、制御部２０には、演算部２１を有している。さらに、投写光学系１３には、レンズシフト部１３１を有している。このプロジェクタ１は、外部の映像信号供給装置ＰＣから映像信号が入力され、その映像信号に応じた映像光を投射して、スクリーン、白壁又はホワイトボード等の被投写体（本発明におけるスクリーンに相当する。以下、これらをスクリーンＳＣと称する）に拡大投写するものである。
【００１５】
制御部２０は、映像信号処理部３２、台形歪補正部３４、レンズシフト制御部４０、フォーカス制御部４１、ズーム制御部４２、操作信号処理部４３及び記憶部４５と接続され、この制御部２０は、マイクロプロセッサ等により構成し、記憶部４５に記憶された制御プログラム等を実行して、プロジェクタ１の動作を統括制御し、制御部２０に接続された各部から入力される各種データを演算部２１により演算するとともに、演算結果を前記各部に出力する。また、制御部２０は、後述する動作により、所定の条件で表示位置情報（後述）を変更して映像信号処理部３２に出力して、映像信号処理部３２に投写表示用の映像信号を生成させる。さらに、レンズシフト制御部４０にレンズシフト制御信号を出力する。尚、制御部２０、演算部２１は、本発明における制御部に相当する。
【００１６】
映像入力部３１は、外部の映像供給装置ＰＣからの映像信号を取り込んで、それが例えばアナログ映像信号の場合にはデジタルの映像信号に変換する等の処理をし、入力映像信号として映像信号処理部３２に出力する。
【００１７】
映像信号処理部３２には、フレームメモリ３３が接続されており、この映像信号処理部３２は、マイクロプロセッサ等により構成し当該映像信号処理部３２が有する記録媒体に格納したプログラムを実行することにより、制御部２０から入力された表示位置情報（後述）に基づいて、映像入力部３１からの入力映像信号と、黒帯映像に対応する映像信号とを合成した合成映像信号を生成し、１フレーム（１画面）毎にフレームメモリ３３に記憶させると共に、フレームメモリ３３に記憶された映像（以下、フレーム映像ともいう）を読み出す機能を有し、映像信号の解像度を液晶ライトバルブ１２の解像度に合わせる解像度変換等の各種映像処理を施してデジタルの映像データを生成することにより、入力映像信号を変換して投写表示用の映像信号として映像データを生成する。尚、黒帯映像とは、入力映像信号による映像のアスペクト比と液晶ライトバルブ１２のアスペクト比とが一致しない場合、入力映像信号による映像が表示されない部分に相当する映像であり、例えば黒色の映像を表示する。また、供給される映像信号としては、例えば、パーソナルコンピュータから出力されたコンピュータ映像を表すＲＧＢ信号や、ビデオレコーダやテレビジョン受信機から出力された動画を表すコンポジット映像信号などの映像信号が供給される。
【００１８】
また、映像信号処理部３２のＯＳＤ処理部３２０は、制御部２０からの命令に従って、プロジェクタ１の各種状態を表す文字や記号、画質調整等を行う際のメニュー映像等のＯＳＤ映像信号と、入力された映像信号とを合成して、合成映像信号として映像データを生成し、台形歪補正部３４に供給する。尚、ＯＳＤ映像を表示しない場合には、上記合成処理を行わず、フレームメモリ３３から読み出したフレーム映像が、そのまま映像データとして台形歪補正部３４に供給される。
【００１９】
台形歪補正部３４は、スクリーンＳＣの投写面に対してプロジェクタ１から射出される投写光を傾けた状態で投写（あおり投写）した場合に生じる台形歪を是正するために、制御部２０から与えられた補正量に応じて入力された映像データの補正を行い、補正した映像データを液晶ライトバルブ駆動部１４に出力する。尚、台形歪が生じていない場合には、前記補正を行わず、映像信号処理部３２から出力された映像データがそのまま液晶ライトバルブ駆動部１４に供給される。
【００２０】
液晶ライトバルブ駆動部１４は、入力された映像データに応じて、液晶ライトバルブ１２Ｒ，１２Ｇ，１２Ｂを駆動する。液晶ライトバルブ１２Ｒ，１２Ｇ，１２Ｂは、複数の画素（図示せず）がマトリクス状に形成されており、液晶ライトバルブ駆動部１４により各画素の透過率が調整されることにより、光源１１から射出された光を変調する。液晶ライトバルブ１２Ｒ，１２Ｇ，１２Ｂから射出される映像光は、クロスダイクロイックプリズム（図示せず）により合成され投写光学系１３によってスクリーンＳＣ上に拡大投写される。また、投写光学系１３は、投写レンズ（図示せず）の位置を移動させるレンズシフト部１３１と、投写光の焦点を変更可能なフォーカス機構と、投写光の拡大率を変更可能なズーム機構とが備えられている。
【００２１】
レンズシフト部１３１は、投写レンズの位置を上下方向又は左右方向に移動（以下、レンズシフトという）させるための圧電モータが設けられており、レンズシフト制御部４０は、後述する動作により、制御部２０から出力されるレンズシフト制御信号に従って、レンズシフト部１３１の圧電モータを駆動するための駆動信号を生成し、レンズシフト部１３１の圧電モータを駆動させることにより、投写レンズを所定の移動量だけ上下方向又は左右方向に移動させて、スクリーンＳＣ上に投写される投写映像の上下位置又は左右位置を調整する。尚、レンズシフト制御部４０、レンズシフト部１３１は、本発明におけるレンズシフト部に相当する。
【００２２】
フォーカス制御部４１は、制御部２０からの指示に従って、投写光学系１３のフォーカス機構を構成するフォーカスレンズを光軸方向に移動させることにより、フォーカス状態を調整することが可能になっている。また、フォーカス制御部４１は、フォーカスの調整量、即ちフォーカスレンズの移動量（フォーカス量）を検知することも可能になっており、検知したフォーカス量を制御部２０に出力することができる。
【００２３】
ズーム制御部４２は、制御部２０からの指示に従って、投写光学系１３のズーム機構を構成するズームレンズを光軸方向に移動させて焦点距離を変更することにより、スクリーンＳＣ上に表示される映像の拡大率を変更することが可能になっている。また、ズーム制御部４２は、焦点距離、即ちズームレンズの移動量（ズーム量）を検知するズーム量検知部としても機能し、検知したズーム量を制御部２０に出力することができる。
【００２４】
操作パネル４４は、プロジェクタ１の電源のＯＮ／ＯＦＦ及び状態変更等を行うための各種スイッチ類を有し、ユーザによるキー操作に応じた操作信号を操作信号処理部４３に出力する。また、リモートコントローラ（以下、単に「リモコン」と呼ぶ）ＲＣは、プロジェクタ１の電源のＯＮ／ＯＦＦ及び状態変更等を行うための各種スイッチ類を有し、ユーザによるキー操作に応じた操作信号を操作信号処理部４３に出力する。操作信号処理部４３は、操作パネル４４又はリモコンＲＣから入力された操作信号を受信し、これを制御部２０に出力する。
【００２５】
記憶部４５は、本発明における記録媒体に相当し、制御部２０が実行する制御プログラム、ＯＳＤ映像を生成するためのＯＳＤ映像データを記憶するとともに、プロジェクタ１の各種設定値等を記憶する。さらに、記憶部４５には、制御部２０が出力した表示位置情報（後述）が記憶されている。
【００２６】
図２は実施の形態１に係る焼き付き低減動作を示すフローチャート、図３は実施の形態１に係る黒帯映像が上下に表示される場合における表示位置とレンズシフト方向を示す図である。以下、本実施の形態における焼き付き低減動作を図２に基づき、図３を参照しながら以下に説明する。
まず、ユーザにより操作パネル４４又はリモコンＲＣの電源キーがＯＮされると、操作信号処理部４３は、キー入力に応じた操作信号を受信し、この操作信号を制御部２０へ入力する。制御部２０は、入力された操作信号により、電源キーＯＮの操作を検出し（Ｓ１）、記憶部４５に記憶された、表示位置情報を読み込む（Ｓ２）。
【００２７】
ここで、表示位置情報とは、映像入力部３１から入力された入力映像信号による映像のアスペクト比に基づいて、スクリーンＳＣに投写される入力映像信号による映像と、黒帯映像の相対位置を特定するための情報である。即ち、入力映像信号による映像のアスペクト比が、液晶ライトバルブ１２のアスペクト比より横長のとき、例えば入力映像のアスペクト比が１６：９（ワイド画面のＴＶ映像など）で液晶ライトバルブ１２のアスペクト比が４：３のとき、入力映像信号による映像の表示位置を、中央、上端、下端の何れかを特定する情報であり、また、入力映像信号による映像のアスペクト比が、液晶ライトバルブ１２のアスペクト比より縦長のとき、例えば入力映像のアスペクト比が４：３（ノーマル画面のＴＶ映像など）で液晶ライトバルブ１２のアスペクト比が１６：９のとき、入力映像信号による映像の表示位置を、中央、右端、左端の何れかを特定する情報である。
尚、以下の説明では、入力映像信号による映像のアスペクト比が、液晶ライトバルブ１２のアスペクト比より横長の場合の動作について説明する。
【００２８】
次に、制御部２０は、記憶部４５から読み込んだ表示位置情報が「中央」であるか否かを判断し（Ｓ３）、「中央」の場合、表示位置を「上端」とする表示位置情報を映像信号処理部３２へ入力すると共に、レンズシフト方向を「下方」とする所定の移動量のレンズシフト制御信号をレンズシフト制御部４０へ入力する（Ｓ４）。
【００２９】
表示位置情報が入力された映像信号処理部３２は、図３（ｂ）に示すように、フレーム映像の上端側に入力映像信号による映像（Ｇ２）を、下端側に黒帯映像（Ｇ１）を配置した投写表示用の映像データを生成する。また、レンズシフト制御信号が入力されたレンズシフト制御部４０は、投写レンズを所定の移動量だけ下方に移動させる。
このような動作により、映像信号処理部３２で生成された映像データは、台形歪補正部３４を経由して、液晶ライトバルブ駆動部１４へ入力され、液晶ライトバルブ駆動部１４は、入力された映像データに応じて、液晶ライトバルブ１２を駆動する。液晶ライトバルブ１２は、液晶ライトバルブ駆動部１４により各画素の透過率が調整されることにより、光源１１の光を変調して映像光を射出する。この映像光は、投写レンズが下方に移動した投写光学系１３を介してスクリーンＳＣに投射され、図３（ｂ）に示すように、投写映像が下方に移動して投写される。ここで、制御部２０は、レンズシフトの移動量を入力映像信号による映像（Ｇ２）の投写位置を一定にさせる移動量とする。即ち、入力映像信号による映像（Ｇ２）のアスペクト比に応じて移動量を設定する。
【００３０】
一方、「中央」でない場合、記憶部４５から読み込んだ表示位置情報が「上端」であるか否かを判断し（Ｓ５）、「上端」の場合、表示位置を「下端」とする表示位置情報を映像信号処理部３２へ入力すると共に、レンズシフト方向を「上方」とするレンズシフト制御信号をレンズシフト制御部４０へ入力する（Ｓ６）。
【００３１】
表示位置情報が入力された映像信号処理部３２は、図３（ｃ）に示すように、フレーム映像の下端側に入力映像信号による映像（Ｇ２）を、上端側に黒帯映像（Ｇ１）を配置した投写表示用の映像データを生成する。また、レンズシフト制御信号が入力されたレンズシフト制御部４０は、投写レンズを所定の移動量だけ上方に移動させる。このような動作により、上述と同様に、図３（ｃ）に示すように、スクリーンＳＣに投写される投写映像が上方に移動され、入力映像信号による映像（Ｇ２）の投写位置は、上述した図３（ｂ）と同一の位置に投写される。
【００３２】
手順Ｓ５において、読み込んだ表示位置情報が「上端」でない場合、表示位置を「中央」とする表示位置情報を映像信号処理部３２へ入力すると共に、レンズシフト方向を「中央」とするレンズシフト制御信号をレンズシフト制御部４０へ入力する（Ｓ７）。
【００３３】
表示位置情報が入力された映像信号処理部３２は、図３（ａ）に示すように、フレーム映像の中央に入力映像信号による映像（Ｇ２）を、上端及び下端に黒帯映像（Ｇ１）を配置した投写表示用の映像データを生成する。また、レンズシフト制御信号が入力されたレンズシフト制御部４０は、投写レンズを中央に移動させる。
このような動作により、上述と同様に、図３（ａ）に示すように、スクリーンＳＣに投写される投写映像が中央に移動され、入力映像信号による映像（Ｇ２）の投写位置は、上述した図３（ｃ）と同一の位置に投写される。
【００３４】
次に、制御部２０は、上述の表示位置情報を記憶部４５に記憶させ（Ｓ８）、表示位置切り換え動作を終了する（Ｓ９）。
【００３５】
以上のように本実施の形態１においては、電源が投入される度に、記憶部４５に記憶された表示位置情報を読み込んで、当該表示位置情報とは異なる表示位置及びレンズシフト方向に変更することにより、電源投入の度に、入力映像信号による映像（Ｇ２）の表示位置がサイクリックに変更される。即ち、黒帯映像（Ｇ１）の相対位置が変更される。このため、黒帯映像（Ｇ１）を表示する場合であっても、液晶ライトバルブの焼き付きを低減させることができる。
また、表示位置情報に応じて、投写レンズを移動させることにより、入力映像信号による映像（Ｇ２）の表示位置が変更された場合であっても、スクリーンＳＣに投写される入力映像信号による映像（Ｇ１）の投写位置を一定にすることができる。
【００３６】
尚、上記説明では、入力映像信号による映像のアスペクト比が、液晶ライトバルブ１２のアスペクト比より横長の場合の動作について説明したが、これに限らず、入力映像信号による映像のアスペクト比が、液晶ライトバルブ１２のアスペクト比より縦長の場合においても、上記動作説明の表示位置「上端」に変えて「右端」、レンズシフト方向「下方」に変えて「左方」、表示位置「下端」に変えて「左端」及びレンズシフト方向「上方」に変えて「右方」とすることにより、図４に示すように、右端に入力映像信号による映像（Ｇ２）を配置し、レンズシフトを左方とし（図４（ｂ））、左端に入力映像信号による映像（Ｇ２）を配置し、レンズシフトを右方とし（図４（ｃ））、中央に入力映像信号による映像（Ｇ２）を配置し、レンズシフトを中央とし（図４（ａ））、入力映像信号による映像（Ｇ２）の表示位置がサイクリックに変更することができ、液晶ライトバルブの焼き付きを低減させることができると共に、スクリーンＳＣに投写される入力映像信号による映像（Ｇ１）の投写位置を一定にすることができる。
【００３７】
尚、本実施の形態では、表示位置情報を、中央、上端、下端の順で変化させたが、本発明はこれに限らず、任意の順でサイクリックに変更しても良い。
【００３８】
また、本実施の形態では、電源キーＯＮを検出したときに、上述した焼き付き低減動作を開始させたが、本発明はこれに限らず、所定の時間毎に開始させても良く、操作パネル４４による操作入力又は入力映像信号のアスペクト比の変化などにより開始させても良い。
【図面の簡単な説明】
【００３９】
【図１】実施の形態１に係るプロジェクタの構成を示すブロック図である。
【図２】実施の形態１に係る焼き付き低減動作を示すフローチャートである。
【図３】実施の形態１に係る黒帯映像が上下に表示される場合における表示位置とレンズシフト方向を示す図である。
【図４】実施の形態１に係る黒帯映像が左右に表示される場合における表示位置とレンズシフト方向を示す図である。
【符号の説明】
【００４０】
１  プロジェクタ、１１  光源、１２Ｒ  液晶ライトバルブ、１２Ｇ  液晶ライトバルブ、１２Ｂ  液晶ライトバルブ、１３  投写光学系、１４  液晶ライトバルブ駆動部、２０  制御部、２１  演算部、３１  映像入力部、３２  映像信号処理部、３３  フレームメモリ、３４  台形歪補正部、４０  レンズシフト制御部、４１  フォーカス制御部、４２  ズーム制御部、４３  操作信号処理部、４４  操作パネル、４５  記憶部、１３１  レンズシフト部、ＰＣ  映像供給装置、ＲＣ  リモコン、ＳＣ  スクリーン。
【図１】
2008098693.tif 000003
【図２】
2008098693.tif 000004
【図３】
2008098693.tif 000005
【図４】
2008098693.tif 000006